(57)【要約】【課題】受信番号と登録番号とが完全に一致しない場合であっても、受信番号に該当する登録番号を特定することが可能であり、且つ、誤りを防止可能なファクシミリ装置を提供する。【解決手段】ＭＦＰ１は、ＦＡＸ番号を含む登録番号が登録された宛先表を記憶する宛先記憶部２１と、ＦＡＸの送信時に、ユーザによって宛先表から選択された登録番号を回線網に送出して発呼処理を行い、ＦＡＸの受信時に、送信元のＦＡＸ番号である受信番号を受信するＮＣＵ１８と、宛先表に登録された登録番号の中から、受信番号に該当する登録番号を検索する検索部２２とを備える。検索部２２は、受信番号と完全に一致する登録番号が宛先表に無く、且つ、受信番号が１０桁以上である場合、受信番号の先頭部分の番号に応じて、宛先表に登録された１０桁以上の登録番号の中から、受信番号の後方９桁以上の後方一致検索を行う。【選択図】図１
2012244297.tif 000002
【特許請求の範囲】
【請求項１】
ＦＡＸ番号を含む登録番号が登録された宛先表を記憶する記憶部と、
ＦＡＸの送信時に、ユーザによって前記宛先表から選択された登録番号を回線網に送出して発呼処理を行う送信部と、
ＦＡＸの受信時に、送信元のＦＡＸ番号である受信番号を受信する受信部と、
前記宛先表に登録された登録番号の中から、前記受信部によって受信された受信番号に該当する登録番号を検索する検索部と、
を備え、
前記検索部は、前記受信番号と完全に一致する登録番号が前記宛先表に無く、且つ、前記受信番号が１０桁以上である場合、前記受信番号の先頭部分の番号に応じて、前記宛先表に登録された１０桁以上の登録番号の中から、前記受信番号の後方９桁以上の後方一致検索を行うことを特徴とするファクシミリ装置。
【請求項２】
前記検索部は、前記受信番号が１１桁以上であり、且つ、先頭部分が日本の国番号と一致した場合、前記宛先表に登録された１０桁以上の登録番号の中から、前記受信番号の先頭の前記国番号を除いた番号と後方一致する登録番号を検索することを特徴とする請求項１に記載のファクシミリ装置。
【請求項３】
前記検索部は、前記受信番号が１０桁以上であり、且つ、先頭部分が０である場合、前記宛先表に登録された１０桁以上の登録番号の中から、前記受信番号の先頭の０を除いた番号と後方一致する登録番号を検索することを特徴とする請求項１又は２に記載のファクシミリ装置。
【請求項４】
前記検索部は、前記受信番号が１０桁以上であり、且つ、先頭部分が日本の国番号と一致せず、且つ、０でない場合、前記宛先表に登録された１０桁以上の登録番号の中から、前記受信番号と後方一致する登録番号を検索することを特徴とする請求項１〜３のいずれか１項に記載のファクシミリ装置。
【請求項５】
前記検索部による検索によって前記受信番号に該当する登録番号が特定された場合、受信されたＦＡＸデータを転送する転送部を更に備えることを特徴とする請求項１〜４のいずれか１項に記載のファクシミリ装置。
【請求項６】
前記記憶部は、前記登録番号に付与された識別番号と関連付けて、該登録番号が登録された前記宛先表を記憶し、
前記検索部は、後方一致検索の結果、前記受信番号と後方一致する登録番号が複数あった場合、前記登録番号に付与された識別番号が最も小さい登録番号を、前記受信番号に該当する登録番号として特定することを特徴とする請求項１〜５のいずれか１項に記載のファクシミリ装置。
【発明の詳細な説明】
【技術分野】
【０００１】
本発明は、着信時に送信元のＦＡＸ番号を取得するファクシミリ装置に関する。
【背景技術】
【０００２】
従来から、着信時に回線網から送信元のＦＡＸ番号（以下、「受信番号」という）を取得し、表示するファクシミリ装置がある。また、宛先の名称とＦＡＸ番号とを関連付けて予め登録し、着信時に、取得した受信番号と一致するＦＡＸ番号が登録されている場合、関連付けて登録された名称を表示するファクシミリ装置もある。
【０００３】
下記特許文献１に記載のファクシミリ装置は、着信時に送信元から送信されるＴＳＩ（送信端末識別信号）を取得し、ＴＳＩと登録されたＦＡＸ番号（以下「登録番号」という）とを比較する。下記特許文献１によれば、通常のＴＳＩは、国番号、市外局番、市内局番以降の番号で構成されている。一方、一般的には、登録番号は、先頭に国内プレフィックスとして０が付加され、市外局番及び市内局番以降の番号で構成される。このため、ＴＳＩと登録番号とが、実質的には同じ送信元であっても、番号が完全には一致しない可能性がある。
【０００４】
そこで、下記特許文献１のファクシミリ装置は、下６桁か下７桁が一致していれば、ＴＳＩと登録番号が一致したと判断している。また、このファクシミリ装置は、登録番号の先頭の番号が０である場合に、先頭の０を除いた番号がＴＳＩに含まれていれば、ＴＳＩと登録されたＦＡＸ番号が一致したと判断している。
【先行技術文献】
【特許文献】
【０００５】
【特許文献１】特開２００２−１３５５５３号公報
【発明の概要】
【発明が解決しようとする課題】
【０００６】
ところで、登録番号は、一般的に、ユーザがＦＡＸの発信時にＦＡＸ番号の入力の手間を省くために登録される。この登録番号として、内線番号、又は、市内局番から始まるＦＡＸ番号が登録される場合がある。この場合、上記特許文献１のように、下６桁か下７桁が一致していれば、ＴＳＩと登録番号が一致したと判断する場合、送信元の判断を誤る虞がある。これは、市外局番が異なる番号等についても一致したと判断する場合があるからである。
【０００７】
また、ユーザが、発信時に入力する番号をＦＡＸ番号に付加して登録する場合がある。例えば、日本から国際電話をかける際には、国番号の前に「０１０」を入力する必要があるので、国外のＦＡＸ番号については、「０１０」を先頭に付けて登録される場合がある。また、ナンバーディスプレイ（登録商標）の通知番号「１８６」等を先頭に付けて、ＦＡＸ番号が登録される場合もある。このような場合、上記特許文献１のように、登録番号の先頭の番号が０である場合に、先頭の０を除いた番号をＴＳＩが含むか否かを判定しても、該当する受信番号を特定することはできない。
【０００８】
更に、着信時に受信される受信番号は、国番号、市外局番、市内局番以降の番号で構成される場合だけでなく、市外局番の先頭に０が付加されたＦＡＸ番号である場合もある。加えて、受信番号に国番号が付加されている場合、国内の発信元であれば、日本の国番号であり、国外の発信元であれば、その国の番号となる。このように、受信番号にも複数の種類がある。このため、上記特許文献１に記載のファクシミリ装置では、受信番号に該当する登録番号を特定できない場合がある。
【０００９】
そこで本発明は、上記問題点を解消するためになされたものであり、受信番号と登録番号とが完全に一致しない場合であっても、受信番号に該当する登録番号を特定することが可能であり、且つ、誤りを防止可能なファクシミリ装置を提供することを目的とする。
【課題を解決するための手段】
【００１０】
本発明に係るファクシミリ装置は、ＦＡＸ番号を含む登録番号が登録された宛先表を記憶する記憶部と、ＦＡＸの送信時に、ユーザによって宛先表から選択された登録番号を回線網に送出して発呼処理を行う送信部と、ＦＡＸの受信時に、送信元のＦＡＸ番号である受信番号を受信する受信部と、宛先表に登録された登録番号の中から、受信部によって受信された受信番号に該当する登録番号を検索する検索部とを備え、検索部は、受信番号と完全に一致する登録番号が宛先表に無く、且つ、受信番号が１０桁以上である場合、受信番号の先頭部分の番号に応じて、宛先表に登録された１０桁以上の登録番号の中から、受信番号の後方９桁以上の後方一致検索を行うことを特徴とする。
【００１１】
本発明に係るファクシミリ装置によれば、ＦＡＸの送信時には、ユーザによって宛先表から選択された登録番号が回線網に送出される。これにより、登録番号を利用して発呼処理が行われる。ＦＡＸの着信時には、受信番号に該当する登録番号が、宛先表に登録された登録番号の中から検索される。検索の際には、受信番号と完全に一致する登録番号が宛先表になく、且つ、受信番号が１０桁以上である場合、次のように行われる。ここでは、受信番号の先頭部分の番号に応じて、宛先表に登録された１０桁以上の登録番号の中から、受信番号の後方９桁以上の後方一致検索が行われる。すなわち、受信番号が１０桁以上である場合に、宛先表に登録された１０桁以上の登録番号の中から、受信番号の後方９桁以上の後方一致検索が行われる。このため、受信番号と登録番号の少なくとも一方が、市内局番から始まる番号であった場合等に、市外局番が異なるにも関わらず、一致したと誤って判定することを防止できる。また、受信番号と登録番号の少なくとも一方が内線番号であった場合に、後方が一致するだけで、一致した部分より前方の部分が異なるにも関わらず、一致したと誤って判定することを防止できる。また、受信番号の先頭部分の番号に応じて、後方一致検索が行われるので、ＦＡＸ番号に付加された番号の種類に応じて、後方一致検索を行うことができる。従って、受信番号と登録番号とが完全に一致しない場合であっても、受信番号に該当する登録番号を特定することが可能であり、かつ、誤りを防止することが可能となる。
【００１２】
本発明に係るファクシミリ装置では、検索部は、受信番号が１１桁以上であり、且つ、先頭部分が日本の国番号と一致した場合、宛先表に登録された１０桁以上の登録番号の中から、受信番号の先頭の国番号を除いた番号と後方一致する登録番号を検索することが好ましい。
【００１３】
この構成によれば、受信番号が１１桁以上であり、且つ、先頭部分が日本の国番号と一致する場合に、次の検索が行われる。すなわち、受信番号が、日本の国番号、市外局番、市内局番以降のＦＡＸ番号から構成される場合に、次の検索が行われる。ここでは、宛先表に登録された１０桁以上の登録番号の中から、受信番号の先頭の国番号を除いた番号と後方一致する登録番号が検索される。すなわち、１１桁以上の受信番号から先頭の国番号を除いた番号は９桁以上であり、この９桁以上の番号を後方に含む登録番号が検索される。このため、受信番号の市外局番及び市内局番以降の番号が後方一致する登録番号が検索される。従って、いずれの種類の番号がＦＡＸ番号の先頭に付加された状態で登録された場合であっても、また、市外局番の先頭に付加される０を省略して登録されている場合であっても、日本の国番号を含む受信番号に該当する登録番号を特定することができる。
【００１４】
本発明に係るファクシミリ装置では、検索部は、受信番号が１０桁以上であり、且つ、先頭部分が０である場合、宛先表に登録された１０桁以上の登録番号の中から、受信番号の先頭の０を除いた番号と後方一致する登録番号を検索することが好ましい。
【００１５】
この構成によれば、受信番号が１０桁以上であり、且つ、先頭部分が０である場合に、次の検索が行われる。すなわち、受信番号が、０、市外局番、市内局番以降のＦＡＸ番号から構成される場合に、以下の検索が行われる。ここでは、宛先表に登録された１０桁以上の登録番号の中から、受信番号の先頭の０を除いた番号と後方一致する登録番号が検索される。すなわち、受信番号の先頭の０を除いた番号を後方に含む登録番号が検索される。従って、いずれの種類の番号がＦＡＸ番号の先頭に付加された状態で登録された場合であっても、また、市外局番の先頭に付加される０を省略して登録されている場合であっても、市外局番から始まる受信番号に該当する登録番号を特定することができる。
【００１６】
本発明に係るファクシミリ装置では、検索部は、受信番号が１０桁以上であり、且つ、先頭部分が日本の国番号と一致せず、且つ、０でない場合、宛先表に登録された１０桁以上の登録番号の中から、受信番号と後方一致する登録番号を検索することが好ましい。
【００１７】
この構成によれば、受信番号が１０桁以上であり、且つ、先頭部分が日本の国番号と一致せず、且つ、０でない場合、次の検索が行われる。すなわち、受信番号が、外国の国番号、外国のＦＡＸ番号から構成されている場合に、次の検索が行われる。ここでは、宛先表に登録された１０桁以上の登録番号の中から、受信番号と後方一致する登録番号が検索される。すなわち、受信番号を後方に含む登録番号が検索される。従って、いずれの種類の番号がＦＡＸ番号の先頭に付加された状態で登録された場合であっても、外国の国番号を含む受信番号に該当する登録番号を特定することができる。
【００１８】
本発明に係るファクシミリ装置では、検索部による検索によって受信番号に該当する登録番号が特定された場合、受信されたＦＡＸデータを転送する転送部を更に備えることが好ましい。
【００１９】
この構成によれば、受信番号に該当する登録番号が特定された場合、受信したＦＡＸデータが転送される。受信番号と登録番号とが完全に一致しない場合であっても、受信番号に該当する登録番号を誤りなく特定するので、確実に転送処理を行うことができる。
【００２０】
本発明に係るファクシミリ装置では、記憶部が、登録番号に付与された識別番号と関連付けて、登録番号が登録された宛先表を記憶し、検索部は、後方一致検索の結果、受信番号と後方一致する登録番号が複数あった場合、登録番号に付与された識別番号が最も小さい登録番号を、受信番号に該当する登録番号として特定することが好ましい。
【００２１】
この構成によれば、後方一致検索の結果、受信番号と後方一致する登録番号が複数あった場合、登録番号に付与された識別番号の最も小さい登録番号が、受信番号に該当する登録番号として特定される。これにより、受信番号と後方一致する登録番号が複数あった場合であっても、１つの登録番号を特定することができる。
【発明の効果】
【００２２】
本発明のファクシミリ装置によれば、受信番号と登録番号とが完全に一致しない場合であっても、受信番号に該当する登録番号を特定することが可能であり、且つ、誤りを防止することが可能となる。
【図面の簡単な説明】
【００２３】
【図１】実施形態に係るＭＦＰの構成を示すブロック図である。
【図２】宛先表の一例を示す図である。
【図３】ＦＡＸ受信時における転送処理を示すフロー図である。
【図４】ＦＡＸ受信時における表示処理を示すフロー図である。
【図５】検索処理を示すフロー図である。
【発明を実施するための形態】
【００２４】
以下、図面を参照して本発明の好適な実施形態について詳細に説明する。まず、図１を参照して、実施形態に係るファクシミリ装置が搭載されたＭＦＰ（Ｍｕｌｔｉｆｕｎｃｔｉｏｎ  Ｐｅｒｉｐｈｅｒａｌ）１の構成について説明する。図１は、ＭＦＰ１の構成を示すブロック図である。
【００２５】
ＭＦＰ１は、ＦＡＸ機能の他に、プリント機能及びスキャン機能等を有する複合機である。また、ＭＦＰ１は、ＬＡＮ（Ｌｏｃａｌ  Ａｒｅａ  Ｎｅｔｗｏｒｋ）９０に接続され、ユーザは、パーソナルコンピュータ（ＰＣ）３を介してＭＦＰ１の操作を行うこともできる。
【００２６】
このＭＦＰ１は、名称と登録番号とが関連付けられた宛先表を記憶している。この宛先表は、電話帳とも呼ばれるものである。ＦＡＸの送信時に、ユーザが宛先表から名称を選択すると、ＭＦＰ１は、関連付けられた登録番号を自動的にダイヤルする。また、ＦＡＸの着信時には、ＭＦＰ１は、公衆電話回線網（ＰＳＴＮ）９１から送出された相手側のＦＡＸ番号を受信する。そして、ＭＦＰ１は、相手側のＦＡＸ番号に対応する名称が宛先表に登録されていれば、その名称を送信元の名称として表示する。
【００２７】
続いて、ＭＦＰ１が、上記の機能を発揮するために備える各構成要素について説明する。ＭＦＰ１は、スキャナ１１、プリンタ１２、コーデック１３、画像記憶部１４、ネットワークＩ／Ｆ１５、操作部１６、表示部１７、ＮＣＵ（Ｎｅｔｗｏｒｋ  Ｃｏｎｔｒｏｌ  Ｕｎｉｔ）１８、モデム１９、制御部２０を備えている。
【００２８】
スキャナ１１は、ＣＣＤ等によって構成され、原稿を光学的に読み取って画像データを生成する。本実施形態のプリンタ１２は、電子写真方式により印刷を行うプリンタである。プリンタ１２が、スキャナ１１によって生成された画像データをプリントすることにより、コピーを行うことをもできる。また、プリンタ１２は、受信されたＦＡＸデータを用紙に印刷する。ＦＡＸの受信時に、送信元の名称が特定された場合、プリンタ１２は、送信元の名称をＦＡＸデータと共に用紙に印刷してもよい。
【００２９】
コーデック１３は、スキャナ１１によって生成された画像データを符号化圧縮する。また、コーデック１３は、符号化圧縮されている画像データを復号化する。画像記憶部１４は、スキャナ１１によって生成された画像データ、ＦＡＸにより受信されたＦＡＸデータ、プリンタ１０により印刷されるデータ等を記憶する。
【００３０】
ネットワークＩ／Ｆ１５は、ＬＡＮ９０に接続されたインターネットを介してＩＦＡＸの送受信を行う。ネットワークＩ／Ｆ１５が、画像データの添付された電子メールを送信することにより、ＩＦＡＸの送信が行われる。ＩＦＡＸの受信時には、ネットワークＩ／Ｆ１５によって電子メールが受信され、添付された画像データが取得される。また、ネットワークＩ／Ｆ１５は、ＭＦＰ１のドライバーがインストールされたＰＣ３との間で、ＬＡＮ９０を介してパケットの送受信を行う。このため、ユーザは、ＰＣ３を介して、ＭＦＰ１の操作を行うことができる。
【００３１】
操作部１６は、各種のキーを備えて構成され、ユーザから各種の操作を直接受け付ける。操作部１６は、ＦＡＸの送信時には、ユーザから宛先の選択及びＦＡＸの送信指示を受け付ける。表示部１７は、例えば液晶ディスプレイを含んで構成され、各種の情報を表示する。表示部１７は、ＦＡＸの受信時に、送信元のＦＡＸ番号を表示する。また、送信元の名称が特定された場合、表示部１７は、送信元の名称を表示する。
【００３２】
ＮＣＵ１８は、モデム１９と接続され、モデム１９と公衆電話回線（ＰＳＴＮ）９１との接続を制御する。ＮＣＵ１８及びモデム１９により、ＦＡＸの送受信が行われる。ＦＡＸの送信時には、ＮＣＵ１８が、送信先のＦＡＸ番号を示す信号を送出し、ＦＡＸの発呼処理を行う。このため、ＮＣＵ１８は、特許請求の範囲に記載の送信部として機能する。発呼処理の後、ＮＣＵ１８は、スキャナ１１により生成された画像データをＦＡＸにより送信する。また、ＦＡＸの受信時には、ＮＣＵ１８が、ＦＡＸの着呼を検出し、着呼処理を行う。そして、ＮＣＵ１８によって受信されたＦＡＸデータが、プリンタ１２により印刷される。
【００３３】
ＮＣＵ１８は、着信時に、送信元（相手先）のＦＡＸ番号を示す信号を受信する。このＮＣＵ１８は、特許請求の範囲に記載の受信部として機能する。ここでは、着信時に受信される送信元のＦＡＸ番号を受信番号という。受信番号が送信される形態は複数ある。一つは、ナンバーディスプレイ（登録商標）等の電話番号表示サービスによってＰＳＴＮ９１から送信される場合である。他には、送信元のファクシミリ装置から送信される場合がある。
【００３４】
送信元のファクシミリ装置から送信される場合、その送信元のファクシミリ装置に登録されたＦＡＸ番号が送信される。この登録は、ユーザが任意に行うことができる。このため、受信側のＭＦＰ１においては、先頭の「０」に続いて市外局番以降のＦＡＸ番号が受信番号として受信される場合、国番号から始まるＦＡＸ番号が受信番号として受信される場合等、複数の場合がある。なお、市外局番は１〜４桁が一般的であり、国内に発信する場合には、国内プレフィクスとして「０」が市外局番の前に付加される。
【００３５】
制御部２０は、自機を統合的に制御すると共に、ＦＡＸの送受信時にＦＡＸ番号の情報処理を行う。この制御部２０は、物理的には、ＣＰＵ、フラッシュＲＯＭ、ＳＤＲＡＭ、及び、電池に接続されたＳＲＡＭ等を備えている。フラッシュＲＯＭには、各種のプログラムが記憶されている。ＳＤＲＡＭは、主記憶メモリとして使用される。電池に接続されたＳＲＡＭには、短縮ダイヤル、エラー情報、及び各種の設定等が記憶される。
【００３６】
制御部２０は、ＦＡＸ番号の情報処理を行うための機能的な構成要素として、宛先記憶部２１、検索部２２、送信元特定部２３、及び転送制御部２４を備えている。宛先記憶部２１は、特許請求の範囲に記載の記憶部に相当する。転送制御部２４は、特許請求の範囲に記載の転送部として機能する。
【００３７】
宛先記憶部２１は、宛先表を記憶している。この宛先記憶部２１は、例えば、ＳＲＡＭ等により構成される。図２は、宛先表の一例を示す図である。宛先表には、名称と登録番号とが関連付けて登録されている。名称としては、氏名、会社名、部署名等、任意の名称を登録することができる。登録番号は、ＦＡＸ番号を含む番号であり、ＦＡＸの送信時にダイヤルされる番号である。
【００３８】
また、宛先表には、登録番号が識別番号と関連付けて登録されている。識別番号は、宛先表に登録された登録番号を識別するための番号であり、例えば、１から始まる通し番号等が利用される。ユーザが、操作部１６及び表示部１７を利用して、宛先表に登録された名称を選択すると、制御部２０は、名称と関連付けて登録された登録番号をＮＣＵ１８へ出力する。そして、ＮＣＵ１８によって、登録番号が送出され、発呼処理が行われる。
【００３９】
図２に示す例では、識別番号「１」及び名称「ＡＡＡ」と関連付けて、登録番号「０１２３−４５−６７８９」が登録されている。すなわち、登録番号「０１２３−４５−６７８９」は、「０」、市外局番、市内局番以下のＦＡＸ番号から構成されている。また、識別番号「２」及び名称「ＢＢＢ」と関連付けて、登録番号「０１０−９８−１２−２３４５−６６６６」が登録されている。先頭の「０１０」は、日本国内から国際電話をかけるときに付加される番号である。次の「９８」は、外国の国番号である。すなわち、この登録番号「０１０−９８−１２−２３４５−６６６６」は、「０１０」、外国の国番号、ＦＡＸ番号から構成されている。
【００４０】
識別番号「３」及び名称「ＣＣＣ」と関連付けて、登録番号「１８６−０７８９−６５−４３２１」が登録されている。先頭の「１８６」は、ナンバーディスプレイ（登録商標）を利用する際に、番号を通知させるために付加される番号である。この登録番号「１８６−０７８９−６５−４３２１」は、「１８６」、「０」、市外局番、市内局番以下のＦＡＸ番号から構成されている。なお、番号を通知させない場合には、「１８４」がＦＡＸ番号の先頭に付加される。
【００４１】
また、識別番号「４」及び名称「ＤＤＤ」と関連付けて、登録番号「０１０−１−１２３−４５６−７８９０」が登録されている。「０１０」の次の番号「１」は、外国の国番号である。この登録番号「０１０−１−１２３−４５６−７８９０」は、「０１０」、外国の国番号、ＦＡＸ番号から構成されている。
【００４２】
更に、識別番号「５」及び名称「ＥＥＥ」と関連付けて、登録番号「１２−３４５６」が登録されている。この登録番号「１２−３４５６」は、内線ＦＡＸ番号である。また、識別番号「６」及び名称「ＦＦＦ」と関連付けて、登録番号「１２３４−５６７８」が登録されている。この登録番号「１２３４−５６７８」は、市外局番が省略されたＦＡＸ番号である。
【００４３】
このように、登録番号には、通常の市外局番を含むＦＡＸ番号だけでなく、市外局番を省略したＦＡＸ番号、内線ＦＡＸ番号等が含まれる。また、登録番号には、「０１０」及び外国の国番号がＦＡＸ番号に付加されている場合、ナンバーディスプレイ（登録商標）を利用する際の「１８６」又は「１８４」が付加されている場合等がある。このように、登録番号において、ＦＡＸ番号の先頭に付加される番号は、複数の種類がある。
【００４４】
検索部２２は、着信時に、宛先表に登録された登録番号の中から、受信番号に該当する登録番号を検索する。検索部２２は、最初に、受信番号と完全に一致する登録番号を検索する。しかしながら、上述したように、登録番号には、ＦＡＸ番号に各種の番号が付加されている場合、先頭の「０」及び市外局番が省略されている場合等がある。また、受信番号としても、送信元の装置において登録された番号又は送信元番号表示サービスにより提供される番号等、複数の種類がある。このため、受信番号と実質的に同じであっても、番号が完全に一致しない登録番号がある。
【００４５】
そこで、検索部２２は、受信番号と完全に一致する登録番号が無かった場合、以下の後方一致検索を行う。ただし、検索部２２は、受信番号が９桁以下である場合は、検索処理を続けずに、終了する。受信番号が、受信番号が９桁以下である場合、この受信番号は、市内局番号から始まる番号であるか、又は、内線番号である。このような受信番号について後方一致検索を行うと、異なる市外局番の登録番号を誤って該当するものと判定する可能性がある。又は、内線番号の部分は後方一致しても、その前方が異なる登録番号を誤って該当するものと判定する虞もある。このため、完全一致する登録番号がなく、受信番号が９桁以下である場合、検索部２２は、該当する登録番号が無いと判定し、検索を終了する。
【００４６】
検索部２２は、受信番号と完全一致する登録番号が宛先表に無く、且つ、受信番号が１０桁以上である場合、以下の３つのパターンの後方一致検索を行う。この３つの検索パターンは、受信番号の先頭部分の番号に応じて、受信番号の後方９桁以上の後方一致検索を行うものである。検索対象は、宛先表に登録された１０桁以上の登録番号とする。９桁以下の登録番号と後方一致検索を行うと、受信番号の１０桁以上の番号が異なる場合であっても一致すると誤って判定する虞があるためである。従って、以下の３つの検索パターンでは、図２に示す例の登録番号「１２−３４５６」及び「１２３４−５６７８」は、検索対象から外される。
【００４７】
（１）検索パターン１
受信番号が１１桁以上であり、且つ、先頭部分が日本の国番号「８１」と一致する場合、受信番号は、日本の国番号「８１」、市外局番、市内局番以降のＦＡＸ番号で構成されている。このため、検索部２２は、受信番号が１１桁以上であり、且つ、先頭部分が日本の国番号「８１」と一致する場合、１０桁以上の登録番号の中から、受信番号の先頭の国番号「８１」を除いた番号と後方一致する登録番号を検索する。すなわち、受信番号から先頭の国番号を除いた番号を後方に含む登録番号が検索される。なお、先頭の「８１」を除いた番号は、市外局番から始まるＦＡＸ番号となる。
例えば、受信番号が、「＋８１−１２３−４５−６７８９」である場合、先頭の「８１」を除いた番号「１２３−４５−６７８９」と後方一致する登録番号が検索される。図２の宛先表の例では、登録番号「０１２３−４５−６７８９」が検索結果として特定される。なお、検索の際には、番号及びその並び順が一致するか否かを判定し、番号以外の記号「−」「＋」は無視して検索される。
【００４８】
（２）検索パターン２
受信番号が１０桁以上であり、且つ、先頭部分が「０」である場合、受信番号は、市外局番から始まるＦＡＸ番号であると考えられる。この受信番号と完全には一致しないが、実質的に該当する登録番号は、ＦＡＸ番号になんらかの番号が付加された番号と考えられる。また、国番号が付加されている場合は、ＦＡＸ番号の先頭の「０」が省略されている。そこで、検索部２２は、受信番号が１０桁以上であり、且つ、先頭部分が「０」である場合、１０桁以上の登録番号の中から、受信番号の先頭の「０」を除いた番号と後方一致する登録番号を検索する。すなわち、受信番号の先頭の「０」を除いた番号を後方に含む登録番号が検索される。
例えば、受信番号が「０１２−２３４５−６６６６」である場合、先頭の「０」を除いた番号「１２−２３４５−６６６６」と後方一致する登録番号が検索される。図２の宛先表の例では、登録番号「０１０−９８−１２−２３４５−６６６６」が検索結果として特定される。また、例えば、受信番号が「０７８９−６５−４３２１」である場合、先頭の「０」を除いた番号「７８９−６５−４３２１」と後方一致する登録番号が検索される。図２の宛先表の例では、登録番号「１８６−０７８９−６５−４３２１」が検索結果として特定される。
【００４９】
（３）検索パターン３
受信番号が１０桁以上であり、且つ、受信番号が上記以外の場合、すなわち、受信番号の先頭部分が日本の国番号「８１」と一致せず、且つ、「０」でない場合、受信番号は、外国の国番号が付加されたＦＡＸ番号であると考えられる。この受信番号と完全には一致しないが、実質的に該当する登録番号は、先頭に、「０１０」が付加されていると考えられる。この場合、登録番号は、「０１０」、外国の国番号、ＦＡＸ番号から構成されている。そこで、検索部２２は、受信番号の先頭部分が日本の国番号「８１」と一致せず、且つ、「０」でない場合、１０桁以上の登録番号の中から、受信番号と後方一致する登録番号を検索する。例えば、受信番号が「＋１−１２３−４５６−７８９０」である場合、図２の宛先表の例では、登録番号「０１０−１−１２３−４５６−７８９０」が検索結果として特定される。
【００５０】
検索部２２は、後方一致検索の結果、受信番号と後方一致する登録番号が複数あった場合、登録番号に付与された識別番号が最も小さい登録番号を、受信番号に該当する登録番号として特定する。これにより、受信番号と後方一致する登録番号が複数あった場合であっても、１つの登録番号を特定することができる。
【００５１】
送信元特定部２３は、検索部２２の検索結果に基づいて、送信元の名称を特定する。検索結果として、受信番号に該当する登録番号が特定された場合、送信元特定部２３は、該登録番号と関連付けて宛先表に登録された名称を送信元の名称として特定する。特定された送信元の名称は、受信番号と共に、表示部１７に表示される。また、特定された名称は、ＦＡＸデータと共に、用紙に印刷されてもよい。なお、受信番号に該当する登録番号が特定されなかった場合は、宛先は表示されずに、受信番号が、表示部１７に表示される。
【００５２】
転送制御部２４は、ＦＡＸを受信した際、予めユーザによって設定された転送条件に合致する場合、転送処理を行う。本実施形態では、転送制御部２４は、検索によって受信番号に該当する登録番号が特定された場合、受信したＦＡＸデータを予め設定された転送先へＮＵＣ１８及びモデム１９によって転送させる。予め設定される転送先は、１つであってもよいし、複数であってもよい。転送先が複数である場合は、順にＦＡＸデータが転送される。この場合、受信したＦＡＸデータが、自動的に複数の宛先に配信される。
【００５３】
引き続いて、ＭＦＰ１の動作について説明する。先に、図３を参照して、ＦＡＸ受信時における転送処理について説明する。図３は、ＦＡＸ受信時における転送処理を示すフロー図である。本処理は、ＦＡＸの受信時に行われる。
【００５４】
まず、ステップＳ１１では、ＭＦＰ１において着信が検出されたあと、受信番号が、ＮＣＵ１８によって受信される。続いて、ステップＳ１２では、宛先表に登録された登録番号の中から、受信番号に該当する登録番号が検索される。この検索処理は、上述したように、検索部２２によって行われるものであり、詳細な手順は後述する。
【００５５】
ステップＳ１３では、ステップＳ１２の検索の結果、受信番号に該当する登録番号が特定されたか否かが判断される。特定されなかった場合は、処理が終了する。一方、ステップＳ１２の検索の結果、受信番号に該当する登録番号が特定された場合は、処理がステップＳ１４へ移行する。
【００５６】
ステップＳ１４では、ＦＡＸの受信が完了し、回線が切断された後、受信したＦＡＸデータが、予め設定された登録番号の宛先へ転送される。その後、図３に示す一連の処理が終了する。以上の処理により、受信番号に該当する登録番号が特定された場合、ＦＡＸデータが所定の宛先に転送される。
【００５７】
次に、図４を参照して、ＦＡＸ受信時における表示処理について説明する。図４は、ＦＡＸ受信時における表示処理を示すフロー図である。本処理は、ＦＡＸの受信時に行われる。
【００５８】
ステップＳ２１〜Ｓ２３は、上述した図３のステップＳ１１〜Ｓ１３の処理を同様であるため、説明を省略する。ステップＳ２３において、受信番号に該当する登録番号が特定されていない、と判断された場合、処理がステップＳ２４へ移行する。ステップＳ２４では、表示部１７に受信番号等が表示される。この場合、例えば、受信番号と共に、受信日時等の情報が表示部１７に表示される。
【００５９】
一方、ステップＳ２３において、受信番号に該当する登録番号が特定された、と判断された場合、処理がステップＳ２５へ移行する。ステップＳ２５では、特定された登録番号と関連付けられた名称が、送信元の名称として、登録番号と共に表示部１７に表示される。以上の処理により、受信番号に該当する登録番号が特定された場合、送信元の名称が表示部１７に表示される。
【００６０】
次に、図３及び図４の検索処理（ステップＳ１２，ステップＳ２２）について、図５を参照して、より詳細に処理手順を説明する。図５は、検索処理を示すフロー図である。なお、本処理は、検索部２２によって行われる。
【００６１】
まず、ステップＳ１２１では、登録番号の中から受信番号と完全に一致する登録番号が、検索される。続いて、ステップＳ１２２では、ステップＳ１２１の検索の結果、受信番号と完全に一致する登録番号があるか否かが判定される。完全に一致する登録番号が見つかった場合は、処理が終了する。この場合、受信番号と完全に一致する登録番号の宛先が、送信元の名称として表示される。一方、受信番号と完全に一致する登録番号が見つからなかった場合は、ステップＳ１２３へ処理が移行する。
【００６２】
ステップＳ１２３では、受信番号が１０桁以上か否かが判断される。受信番号が９桁以下である場合、処理が終了する。この場合、受信番号に該当する登録番号が無いと判定され、送信元の名称は表示されない。一方、受信番号が１０桁以上である場合、ステップＳ１２４へ処理が移行する。
【００６３】
ステップＳ１２４では、受信番号が１１桁以上且つ先頭部分が日本の国番号「８１」であるか否かが判定される。受信番号が１１桁以上且つ先頭部分が「８１」である場合、ステップＳ１２５へ処理が移行する。ステップＳ１２５では、１０桁以上の登録番号の中から受信番号の先頭の「８１」を除いた番号と後方一致する登録番号が検索される。例えば、受信番号が「＋８１−１２３−４５−６７８９」である場合、図２の宛先表の例では、該当する登録番号として「０１２３−４５−６７８９」を特定することができる。この場合、名称「ＡＡＡ」が送信元の名称として表示される。
【００６４】
一方、ステップＳ１２４において、受信番号が１１桁以上且つ先頭部分が「８１」ではないと判定された場合、処理がステップＳ１２６へ移行する。ステップＳ１２６では、受信番号の先頭が「０」か否かが判定される。受信番号の先頭が「０」である場合、ステップＳ１２７へ処理が移行する。
【００６５】
ステップＳ１２７では、１０桁以上の登録番号の中から、受信番号の先頭の「０」を除いた番号と後方一致する登録番号が検索される。例えば、受信番号が「０１２−２３４５−６６６６」である場合、図２の宛先表の例では、該当する登録番号として「０１０−９８−１２−２３４５−６６６６」を特定することができる。また、例えば、受信番号が「０７８９−６５−４３２１」である場合、該当する登録番号として「１８６−０７８９−６５−４３２１」を特定することができる。
【００６６】
一方、ステップＳ１２６において、受信番号の先頭が「０」ではないと判定された場合、処理がステップＳ１２８へ移行する。ステップＳ１２８では、１０桁以上の登録番号の中から、受信番号と後方一致する登録番号が検索される。例えば、受信番号が「＋１−１２３−４５６−７８９０」である場合、図２の宛先表の例では、該当する登録番号として「０１０−１−１２３−４５６−７８９０」を特定することができる。
【００６７】
続いて、ステップＳ１２９では、ステップ１２２の完全一致検索、又は、ステップＳ１２５、Ｓ１２７、若しくはＳ１２８における後方一致検索の結果、完全一致又は後方一致する登録番号が複数あるか否かが判断される。完全一致する登録番号が複数ある場合は、次のような場合である。例えば、複数のユーザがＭＦＰ１を利用し、同一の宛先について、あるユーザが、宛先「田中」、ＦＡＸ番号「ＸＸＸＸ−ＸＸ−ＸＸＸＸ」と登録し、他のユーザが宛先「田中太郎」等の別の名前で同じＦＡＸ番号を登録したような場合である。
【００６８】
ステップＳ１２９において、複数の登録番号がなかった場合は、本処理が終了する。一方、完全一致又は後方一致する登録番号が複数あった場合は、処理がステップＳ１３０へ移行する。ステップＳ１３０では、完全一致又は後方一致する複数の登録番号のうち、識別番号が最も小さい登録番号が特定される。以上の処理により、受信番号に該当する登録番号が特定される。
【００６９】
以上説明した本実施形態に係るＭＦＰ１によれば、受信番号と完全に一致する登録番号が宛先表になく、且つ、受信番号が１０桁以上である場合、宛先表に登録された１０桁以上の登録番号の中から９桁以上の後方一致検索が行われる。このため、一致した部分より前方の部分が異なるにも関わらず、一致したと誤って判定することを防止できる。また、受信番号の先頭部分の番号に応じて、後方一致検索が行われるので、ＦＡＸ番号に付加された番号の種類に応じて、後方一致検索を行うことができる。従って、受信番号と登録番号とが完全に一致しない場合であっても、受信番号に該当する登録番号を特定することが可能であり、かつ、誤りを防止することが可能となる。
【００７０】
また、ＭＦＰ１では、受信番号が１１桁以上であり、且つ、先頭部分が日本の国番号と一致する場合、１０桁以上の登録番号の中から、受信番号の先頭の国番号を除いた番号と後方一致する登録番号が検索される。従って、いずれの種類の番号がＦＡＸ番号の先頭に付加された状態で登録された場合であっても、また、市外局番の先頭に付加される「０」を省略して登録されている場合であっても、国番号を含む受信番号に該当する登録番号を特定することができる。
【００７１】
また、ＭＦＰ１では、受信番号が１０桁以上であり、且つ、先頭部分が０である場合、１０桁以上の登録番号の中から、受信番号の先頭の「０」を除いた番号と後方一致する登録番号が検索される。従って、いずれの種類の番号がＦＡＸ番号の先頭に付加された状態で登録された場合であっても、また、市外局番の先頭に付加される「０」を省略して登録されている場合であっても、市外局番から始まる受信番号に該当する登録番号を特定することができる。
【００７２】
また、ＭＦＰ１では、受信番号の先頭部分が日本の国番号と一致せず、且つ、「０」でない場合、１０桁以上の登録番号の中から、受信番号と後方一致する登録番号が検索される。従って、いずれの種類の番号がＦＡＸ番号の先頭に付加された状態で登録された場合であっても、外国の国番号を含む受信番号に該当する登録番号を特定することができる。
【００７３】
更に、ＭＦＰ１では、受信番号に該当する登録番号が特定された場合、受信したＦＡＸデータが転送される。従って、受信番号と登録番号とが完全に一致しない場合であっても、受信番号に該当する登録番号を誤りなく特定するので、確実に転送処理を行うことができる。
【００７４】
また、ＭＦＰ１では、後方一致検索の結果、受信番号と後方一致する登録番号が複数あった場合、登録番号に付与された識別番号の最も小さい登録番号が、受信番号に該当する登録番号として特定される。これにより、受信番号と後方一致する登録番号が複数あった場合であっても、１つの登録番号を特定することができる。
【００７５】
以上、本発明の実施の形態について説明したが、本発明は、上記実施形態に限定されるものではなく種々の変形が可能である。例えば、上記実施形態では、ファクシミリ装置をＭＦＰに搭載した場合について説明したが、単機能のファクシミリ装置であってもよい。また、上記実施形態では、検索によって受信番号に該当する登録番号が特定された場合に転送することとしたが、これに限られない。検索によって受信番号に該当する登録番号について転送設定がされている場合に、転送してもよい。また、上記実施形態では、転送制御部２４は、ＮＣＵ１８及びモデム１９によって、ＦＡＸデータを転送させることとしたが、ネットワークＩ／Ｆ１５を利用して、ＩＦＡＸにより転送を行ってもよい。
【符号の説明】
【００７６】
１  ＭＦＰ
１１  スキャナ
１２  プリンタ
１３  コーデック
１４  画像記憶部
１５  ネットワークＩ／Ｆ
１６  操作部
１７  表示部
１８  ＮＣＵ
１９  モデム
２０  制御部
２１  宛先記憶部
２２  検索部
２３  送信元特定部
２４  転送制御部
【図１】
2012244297.tif 000003
【図２】
2012244297.tif 000004
【図３】
2012244297.tif 000005
【図４】
2012244297.tif 000006
【図５】
2012244297.tif 000007